(57)【要約】【課題】既設の建造物内の吸気口や排気口に左右されずに、自在且つ容易に喫煙室を設置出来、煙草の煙を漏らさず、少ない換気量で煙草の煙による弊害を除去して快適な喫煙空間にする清浄機能付ユニット型喫煙室を提供する。【解決手段】自在に組立・分解できるユニット室２の出入口３に設けた吸気口４と、この吸気口４に対向するユニット室２の上部に設けた排気口５と、吸気口４と排気口５との間に位置して煙草の煙を清浄化してその清浄エアーを上方に排出する空気清浄機６とからなり、排気口５からユニット室２内のエアーを排出することで、吸気口４から空気清浄機６、排気口５を経由してユニット室２外に至る気流７を形成して、この気流７に喫煙者からの煙草の煙を乗せ、空気清浄機６にて清浄化し、未清浄の成分はユニット室２からそのまま建造物を経由して外部に排出してユニット室２内を換気して、ユニット室２内外の清浄性を保持し、喫煙者及び非喫煙者双方ともに快適な喫煙及び非喫煙空間とする。【選択図】    図１
2004347309.tif 000002
【特許請求の範囲】
【請求項１】
自在に組立・分解できるユニット室の出入口に設けた吸気口と、該吸気口に対向する前記ユニット室の上部に設けた排気口と、前記吸気口と前記排気口との間に位置して煙草の煙を清浄化してその清浄エアーを上方に排出する空気清浄機とからなり、前記排気口から前記ユニット室内のエアーを排出することで、前記吸気口から前記空気清浄機、前記排気口を経由してユニット室外に至る気流を形成して、該気流に喫煙者からの煙草の煙を乗せるようにしたことを特徴とする清浄機能付ユニット型喫煙室。
【請求項２】
自在に組立・分解できる無天蓋ユニット室の出入口に設けた吸気口と、該吸気口に対向する前記無天蓋ユニット室の上部に設けた排気口と、前記吸気口と前記排気口との間に位置して煙草の煙を清浄化してその清浄エアーを上方に排出する空気清浄機と、前記無天蓋ユニット室にこれの上部開口をエアーカーテンにて塞ぐために設けた上部エアーカーテン装置と、該上部エアーカーテン装置の上方に位置して前記無天蓋ユニット室に取り付けたエアーカーテン整流板とからなり、前記排気口から前記無天蓋ユニット室内のエアーを排出することで、前記吸気口から前記空気清浄機、前記排気口を経由して前記無天蓋ユニット室外に至る気流を形成して、該気流に喫煙者からの煙草の煙を乗せるようにしたことを特徴とする清浄機能付ユニット型喫煙室。
【請求項３】
前記吸気口は前記出入口に取り付けた扉に配設した請求項１または２記載の清浄機能付ユニット型喫煙室。
【請求項４】
前記吸気口は、前記出入口に設けた前記エアーカーテン装置から吹き出したエアーカーテンにて形成した前記出入口の遮蔽可能部と遮蔽不能部とのうち、該遮蔽不能部である請求項１、２または３記載の清浄機能付ユニット型喫煙室。
【請求項５】
前記エアーカーテン装置は、その空気取入口を前記ユニット室外に位置させている請求項４記載の清浄機能付ユニット型喫煙室。
【請求項６】
前記エアーカーテン装置は、前記出入口の内側及び外側に吹出口をそれぞれ設け、且つ内側吹出口と外側吹出口との間にこれらの空気取入口を設けてなり、前記内側吹出口からの内側エアーカーテンと前記外側吹出口からの外側エアーカーテンとにより、前記出入口を前記遮蔽不能部である吸気口を残して遮蔽すると共に、これらエアーカーテンに由来する前記ユニット室内の煙草の煙の拡散を防ぐ請求項４記載の清浄機能付ユニット型喫煙室。
【請求項７】
前記ユニット室の上部に設けた前記排気口に、空気清浄機付換気装置を設けた請求項１乃至６から選択する１項記載の清浄機能付ユニット型喫煙室。
【請求項８】
前記ユニット室の上部に設けた前記排気口と、前記ユニット室設置の建造物に設置した建造物排気口とを接続した請求項１乃至７から選択する１項記載の清浄機能付ユニット型喫煙室。
【請求項９】
前記ユニット室の上部に設けた前記排気口にヒーターを設け、前記排気口からの排出エアーをユニット室外の気温より高くして、前記ユニット室設置の建造物の上部に温排出エアーを滞留させ、前記建造物の上部に設置した建造物排気口から外部に温排出エアーを排出するようにした請求項１乃至７から選択する１項記載の清浄機能付ユニット型喫煙室。
【請求項１０】
前記空気清浄機は少なくともそのエアー吸引口が円筒形状をなしている局所排気型である請求項１乃至９から選択する１項記載の清浄機能付ユニット型喫煙室。
【請求項１１】
前記空気清浄機はそのエアー排気口が前記ユニット室の上部に設けた排気口に接続している請求項１乃至１０から選択する１項記載の清浄機能付ユニット型喫煙室。
【請求項１２】
前記排気口に前記上部エアーカーテン装置を設け、前記無天蓋ユニット室内のエアーを前記上部エアーカーテン装置にて上部エアーカーテンにすると共に、その一部を前記無天蓋ユニット室外に排出するようにした請求項２記載の清浄機能付ユニット型喫煙室。
【請求項１３】
前記上部エアーカーテン装置からの上部エアーカーテンを、前記エアーカーテン装置の吸気エアーとして利用し、プッシュプルの上部エアーカーテンとした請求項４、５、６または１２記載の清浄機能付ユニット型喫煙室。
【発明の詳細な説明】
【０００１】
【発明の属する技術分野】
本発明は、建造物内に主に設置して快適な喫煙空間を提供すると共に、煙草の煙による影響を非喫煙空間に及ぼさない清浄機能付ユニット型喫煙室に関する。
【０００２】
【従来の技術】
建造物内に喫煙室を創設する理想的な展開は、建造物内に予め専用の喫煙室を設置し、快適な喫煙空間を提供するための充分な換気と、その充分な換気に対応して喫煙室の温度及び湿度の適切な管理と、をすることである。しかしながら、専用の喫煙室を創設するには、建造物を設計する段階でその耐用年数をも見越した状態で、将来的にどの程度の喫煙室を設けなければならないかを、決めなければならず、事実上不可能である。したがって、喫煙室は、既設の建造物における室内の一角に、後から設置されることになる。
【０００３】
上述のような状況下で、喫煙室は既設の建造物における室内の一角を間仕切りなどにより仕切って作られることが多く、その喫煙室に空気清浄機を設置し、煙草の煙を処理して快適な喫煙空間を提供し、且つ喫煙室外の非喫煙空間に煙草の煙が極力出ないようにしている。しかし、喫煙室内の煙の粉塵成分やそれに由来する臭い（以下、煙等とする）、あるいは一部のガスは、空気清浄機によりかなり除去することが可能ではあるが、炭酸ガスや一酸化炭素は喫煙室内に蓄積するから、必ず換気が必要となる。ところが、建造物の室内に設置されている排気口や吸気口は、喫煙室を設けることを前提として設けられている訳ではないので、喫煙室を設けたい室内の位置との整合性が無いことが多く、喫煙室はその室内の排気口や吸気口の位置により制約されてしまう。したがって、喫煙室における空気清浄機の設置が、喫煙室内における吸気から排気に至る気流に沿うことができず、空気清浄機の効果的な利用を困難にしている。
【０００４】
その一方で、喫煙室内の換気も、前記建造物における室内の排気口の位置により、排気ダクトなどによってつなげることが出来ないことが多い。その場合に、喫煙室内の換気は、建造物の室内に対して行うことになり、この換気エアーが室内に拡散され、最終的に室内の排気口から建造物外に排気される。しかし、空気清浄機により煙草の煙をかなり除去しているとは言うものの、未除去の煙等や炭酸ガス、一酸化炭素などは喫煙室外の室内にいる人に影響を与えることになる。
【０００５】
既設の建造物における室内の一角を閉鎖空間とし、その閉鎖空間を喫煙室として、集塵機にて清浄にする次のようなものが知られている。
【特許文献１】
特開昭６１−４９９４８号公報によれば、この空気清浄装置は、図１３に示すように、筐体ａと、この筐体ａに設けられた空気取入口ｂ及び空気吹出口ｃと、筐体ａ内に設置された集塵機ｄと、筐体ａ内部の集塵機ｄの上流側に形成された第１空気通路ｅと、筐体ａ内部の集塵機ｄの下流側に形成された第２空気通路ｆと、この第２空気通路ｆ内の空気を加圧し空気吹出口ｃへ送風する送風機ｇとを備え、空気吹出口ｃはその吹出気流が筐体ａ外の室内空間ｈを２分割するエアーカーテンｉを形成するように配設され、空気取入口ｂの少なくとも１つは２分割された室内空間ｈの一方のみに面して筐体ａ内部の第１空気通路ｅと連通するように配設されてなるものである。これにより、室内空間ｈ内をエアーカーテンｉにより２分割し、空気取入口ｂのある空間を喫煙室ｊとし、集塵機ｄにより浄化したエアーを非喫煙室ｋ側に排出するものである。
【０００６】
また、既設の建造物における室内の一角を閉鎖空間とし、その閉鎖空間内に発生する臭気や煙を排除する次のようなものが知られている。
【特許文献２】
特開平７−１９５５９号公報によれば、図１４に示すように、天井面ｍに、室内空間ｈ内で発生する臭気・煙等を外部に拡散しないように、これらの発生源を囲うようにラインフローファンｎを配設し、このラインフローファンｎの内周面に沿い天井面ｍにスリット状の空気取入口ｂを形成して、この空気取入口ｂからのエアーを排気ファンｏにより排出される等圧チャンバーｐをスペースＲの天井裏に配設したものである。これにより、室内空間ｈ内のスペースＲをラインフローファンｎにて循環したエアーカーテンｉにより閉鎖するから、スペースＲ内の臭気・煙等の発生源からの臭気・煙等はスペースＲ内に閉じこめられ、室内空間ｉに拡散することなく、排気ファンｏにより外部に排出される。
【０００７】
既設の建造物における室内の一角を閉鎖空間とする本出願人のものとして、次のようなものが知られている。
【特許文献３】
特開平６−５４７５４号公報によれば、図１５に示すように、つい立て本体ｑのエアー循環吸込口ｒ及びエアー吸込口ｓを内側にして、室内空間ｈ内の一部を囲う形に１以上のつい立て本体ｑを配置し、このつい立て本体ｑの送風機によるエアーカーテンｉにて室内空間ｈ内の一部を囲い喫煙室ｊを形成すると共に、１以上のつい立て本体ｑ内の空気清浄装置により清浄化したエアーの排気ファンによる排出エアー量を、エアーカーテンｉが喫煙室ｊの外部から巻き込むエアー量Ｑよりも大に設定して、喫煙室ｊ内を常時負圧状態にし、喫煙室ｊ内から煙草の煙を出さないようにしたものである。
【０００８】
【発明が解決しようとする課題】
特許文献１の空気清浄装置は、喫煙室ｊ内の煙等を、集塵機によりかなりの量を除去することが可能であるが、未除去の煙等並びに炭酸ガスや一酸化炭素の一部が喫煙室ｊ外、すなわち、室内空間ｈ内の非喫煙室ｋ側に漏れることになり、非喫煙室ｋ側の非喫煙者に未除去の煙等並びに炭酸ガスや一酸化炭素を晒すことになる。更に、未除去の煙等並びに炭酸ガスや一酸化炭素は、喫煙室ｊ内に蓄積することになって、喫煙室ｋ内を快適な喫煙空間とすることが出来ない。
【０００９】
また、特許文献２のものは、スペースＲ内の臭気・煙等の発生源からの臭気・煙等を排気ファンｏにより直接外部に排気するから、室内空間ｈ内に拡散しづらいが、排気量が多くなり過ぎ空調負荷が高くなる。また、これは、天井面ｍにスリット状の空気取入口ｂを形成したり、ラインフローファンｎを設置したり、更に天井裏に等圧チャンバーｐを設置したり、加えて、排気ファンｏも設置しなければならず、室内空間ｈ内に簡易に設置することが不可能となる。
【００１０】
また、特許文献３のものは、室内空間ｈ内の一部を囲う形に１以上のつい立て本体ｑを配置するだけで喫煙室ｊを形成でき、更に、喫煙室ｊ内の煙等を空気清浄装置によりかなり除去することが可能であるが、未除去の煙等並びに炭酸ガスや一酸化炭素を含むエアーが喫煙室ｊ内の負圧を確保するために、外の非喫煙室ｋ側に排出され、非喫煙室ｋ側の非喫煙者に未除去の煙等並びに炭酸ガスや一酸化炭素を晒すこととなる。更に、未除去の煙等並びに炭酸ガスや一酸化炭素は、喫煙室ｊ内に蓄積することになって、喫煙室ｊ内を快適な喫煙空間とすることが出来ない。
【００１１】
そこで、本発明は、上記事情に鑑みてなされたもので、既設の建造物内にこれの吸気口や排気口に左右されずに、自在且つ容易に喫煙室を設置出来、しかもこの喫煙室から煙草の煙を漏らさず、少ない換気量であるのに煙草の煙による弊害を除去して、快適な喫煙空間にすることが出来る清浄機能付ユニット型喫煙室を提供することを課題とする。
【００１２】
【課題を解決するための手段】
上記課題を解決するため、請求項１記載の発明は、自在に組立・分解できるユニット室の出入口に設けた吸気口と、該吸気口に対向する前記ユニット室の上部に設けた排気口と、前記吸気口と前記排気口との間に位置して煙草の煙を清浄化してその清浄エアーを上方に排出する空気清浄機とからなり、前記排気口から前記ユニット室内のエアーを排出することで、前記吸気口から前記空気清浄機、前記排気口を経由してユニット室外に至る気流を形成して、該気流に喫煙者からの煙草の煙を乗せるようにしたことを特徴とする。したがって、この特徴によれば、排気口からユニット室内のエアーを排出すると共に空気清浄機を作動させると、対向位置にある吸気口からユニット室内にエアーが入り、更に、ユニット室内のエアーが空気清浄機内に入って清浄エアーを上方に排出し、上部の排気口を経由してユニット室外に至る気流が出来、空気清浄機回りで喫煙者が煙草を吸うと、その煙が上記した気流に乗り、直ちに空気清浄機に入り清浄エアーとなって、排気口を経由してユニット室外に排出する。
【００１３】
請求項２の発明は、自在に組立・分解できる無天蓋ユニット室の出入口に設けた吸気口と、該吸気口に対向する前記無天蓋ユニット室の上部に設けた排気口と、前記吸気口と前記排気口との間に位置して煙草の煙を清浄化してその清浄エアーを上方に排出する空気清浄機と、前記無天蓋ユニット室にこれの上部開口をエアーカーテンにて塞ぐために設けた上部エアーカーテン装置と、該上部エアーカーテン装置の上方に位置して前記無天蓋ユニット室に取り付けたエアーカーテン整流板とからなり、前記排気口から前記無天蓋ユニット室内のエアーを排出することで、前記吸気口から前記空気清浄機、前記排気口を経由して前記無天蓋ユニット室外に至る気流を形成して、該気流に喫煙者からの煙草の煙を乗せるようにしたことを特徴とする。したがって、この特徴によれば、上部エアーカーテン装置を作動させ、無天蓋ユニット室の上部開口を上部エアーカーテンで塞ぎ、エアーカーテン整流板にて外乱を緩和して実質的に有天蓋を実現し、排気口から無天蓋ユニット室内のエアーを排出すると共に空気清浄機を作動させると、対向位置にある吸気口から無天蓋ユニット室内にエアーが入り、更に、無天蓋ユニット室内のエアーが空気清浄機内に入って清浄エアーを上方に排出し、上部の排気口を経由して無天蓋ユニット室外に至る気流が出来、空気清浄機回りで喫煙者が煙草を吸うと、その煙が上記した気流に乗り、直ちに空気清浄機に入り清浄エアーとなって、排気口を経由して無天蓋ユニット室外に排出する。
【００１４】
請求項３の発明は、前記吸気口は、前記出入口に取り付けた扉に配設したことを特徴とする。したがって、この特徴によれば、喫煙者がユニット室内に入るとき以外は扉は閉じられて、扉に設けた吸気口は出入口より開口面積が小さく、この吸気口における流入風速を高く保持して、ユニット室内から煙草の煙が漏れないようにする。
【００１５】
請求項４の発明は、前記吸気口は、前記出入口に設けた前記エアーカーテン装置から吹き出したエアーカーテンにて形成した前記出入口の遮蔽可能部と遮蔽不能部とのうち、該遮蔽不能部であることを特徴とする。したがって、この特徴によれば、エアーカーテンによる出入口の遮蔽不能部が吸気口であり、この吸気口は出入口全体より開口面積が小さく、この吸気口における流入風速を高く保持して、ユニット室内から煙草の煙が漏れないようにする。
【００１６】
請求項５の発明は、前記エアーカーテン装置は、その空気取入口を前記ユニット室外に位置させていることを特徴とする。したがって、この特徴によれば、ユニット室外のエアーを空気取入口からエアーカーテン装置内に取り入れ、エアーカーテンを形成して出入口の一部を遮蔽する。
【００１７】
請求項６の発明は、前記エアーカーテン装置は、前記出入口の内側及び外側に吹出口をそれぞれ設け、且つ内側吹出口と外側吹出口との間にこれらの空気取入口を設けてなり、前記内側吹出口からの内側エアーカーテンと前記外側吹出口からの外側エアーカーテンとにより、前記出入口を前記遮蔽不能部である吸気口を残して遮蔽すると共に、これらエアーカーテンに由来する前記ユニット室内の煙草の煙の拡散を防ぐことを特徴とする。したがって、この特徴によれば、内側吹出口と外側吹出口との間の空気取入口からエアーカーテン装置内にエアーを取り入れ、内側エアーカーテンと外側エアーカーテンとを構成し、主に内側エアーカーテンでユニット室内の煙草の煙の拡散を防いで、内側エアーカーテンの外側に煙草の煙がほとんど漏れず、外側エアーカーテンに随伴してユニット室外に煙草の煙が漏れない。
【００１８】
請求項７の発明は、前記ユニット室の上部に設けた前記排気口に、空気清浄機付換気装置を設けたことを特徴とする。したがって、この特徴によれば、ユニット室の空気清浄機を通らずショートパスした煙草の煙を、空気清浄機付換気装置により清浄化してユニット室外に排出する。
【００１９】
請求項８の発明は、前記ユニット室の上部に設けた前記排気口と、前記ユニット室設置の建造物に設置した建造物排気口とを接続したことを特徴とする。したがって、この特徴によれば、ユニット室の上部の排気口からの排気エアーは直接建造物排気口から外部に排出される。
【００２０】
請求項９の発明は、前記ユニット室の上部に設けた前記排気口にヒーターを設け、前記排気口からの排出エアーをユニット室外の気温より高くして、前記ユニット室設置の建造物の上部に温排出エアーを滞留させ、前記建造物の上部に設置した建造物排気口から外部に温排出エアーを排出するようにしたことを特徴とする。したがって、この特徴によれば、ユニット室の上部の排気口に設けたヒーターにより、排出エアーをユニット室外の気温より高くして、この温排出エアーを建造物の上部に滞留させ、建造物上部にある建造物排気口から外部に排出する。
【００２１】
請求項１０の発明は、前記空気清浄機は少なくともそのエアー吸引口が円筒形状をなしている局所排気型であることを特徴とする。したがって、この特徴によれば、喫煙者は円筒形状をなしたエアー吸引口に近づいて喫煙することになり、煙は直ちにエアー吸引口から空気清浄機内に入り、清浄化されてユニット室上部に排出され、更に排気口から排出されて、ユニット室内が換気される。
【００２２】
請求項１１の発明は、前記空気清浄機はそのエアー排気口が前記ユニット室の上部に設けた排気口に接続していることを特徴とする。したがって、この特徴によれば、空気清浄機のエアー排気口から排出した清浄エアーは、直接ユニット室の上部の排気口からユニット室外に排出され、ユニット室内が換気される。
【００２３】
請求項１２の発明は、前記排気口に前記上部エアーカーテン装置を設け、前記無天蓋ユニット室内のエアーを前記上部エアーカーテン装置にて上部エアーカーテンにすると共に、その一部を前記無天蓋ユニット室外に排出するようにしたことを特徴とする。したがって、この特徴によれば、上部エアーカーテン装置からの上部エアーカーテンにより、無天蓋ユニット室の上部開口を塞ぎ実質的に有天蓋とし、その一部を無天蓋ユニット室外に排出し、無天蓋ユニット室内を換気する。
【００２４】
請求項１３の発明は、前記上部エアーカーテン装置からの上部エアーカーテンを、前記エアーカーテン装置の吸気エアーとして利用し、プッシュプルのエアーカーテンとしたことを特徴とする。したがって、この特徴によれば、上部エアーカーテン装置からの上部エアーカーテンを、出入口用のエアーカーテン装置の吸気エアーとして利用し、プッシュプルの強力な上部エアーカーテンにして、無天蓋ユニット室の上部開口を強力に塞ぎ実質的に有天蓋とする。
【００２５】
【発明の実施の形態】
以下、本発明の実施の形態を図１〜１２に基づいて詳述する。
図１は本発明の実施の形態を示す清浄機能付ユニット型喫煙室の断面図、図２は本発明の実施の形態を示す清浄機能付ユニット型喫煙室の空気清浄機の斜視図、図３は本発明の実施の形態を示す清浄機能付ユニット型喫煙室の空気清浄機の断面図である。図面において、清浄機能付ユニット型喫煙室１は、図５の建造物Ａの室内に設置するもので、自在に組立・分解できるユニット室２の出入口３に設けた吸気口４と、この吸気口４に対向するユニット室２の上部に設けた排気口５と、吸気口４と排気口５との間に位置して煙草の煙を清浄化してその清浄エアーを上方に排出する空気清浄機６とからなり、排気口５からユニット室２内のエアーを排出することで、吸気口４から空気清浄機６、排気口５を経由してユニット室２外に至る気流７を形成して、この気流７に喫煙者からの煙草の煙を乗せるようにしたものである。
【００２６】
前記ユニット室２は、人が入れる広さ高さを有した組立・分解が自在な建物を指し、その面積や容積には特に限定がないが、喫煙者が中に入り快適な喫煙を出来る空間が必要とされる。ユニット室２の出入口３は吸気口４も兼ね、最も簡単な出入口３は単に喫煙者などの人が自由に出入りすることが出来る開口であり、この場合の出入口３はそのまま吸気口４も兼ねることになる。図１では、出入口３の上方にエアーカーテン装置１０を設けて、このエアーカーテン装置１０からのエアーカーテン１１により、出入口３の大半を気流的に遮蔽している。このエアーカーテン１１による出入口３の遮蔽可能部１２ａと、遮蔽不能部１２ｂとのうち、遮蔽不能部１２ｂが実質的な吸気口４となる。
【００２７】
このエアーカーテン装置１０は、装置本体１３を仕切板１４にて２分割し、装置本体１３の内側半体１３ａに、出入口３の内側に位置させた内側吹出口１５、内側空気取入口１６ａ及び内側エアーカーテンファン１７ａを設け、更に、外側半体１３ｂに出入口３の外側に位置させた外側吹出口１８、外側空気取入口１６ｂ及び外側エアーカーテンファン１７ｂを設けてなるものである。したがって、上述のエアーカーテン１１は、内側吹出口１５からの内側エアーカーテン１１ａと、外側吹出口１８からの外側エアーカーテン１１ｂとからなり、これらにより出入口３を遮蔽不能部１２ｂである吸気口４を残して遮蔽すると共に、これら内側及び外側エアーカーテン１１ａ及び１１ｂに由来する前記ユニット室２内の煙草の煙の拡散を防ぐものである。
【００２８】
したがって、このエアーカーテン装置１０によれば、内側空気取入口１６ａ及び外側空気取入口１６ｂから内側半体１３ａ及び外側半体１３ｂ内にエアーを取り入れ、内側エアーカーテンファン１７ａ及び外側エアーカーテンファン１７ｂにより、内側吹出口１５及び外側吹出口１８からエアーを吹き出し、内側エアーカーテン１１ａと外側エアーカーテン１１ｂとを形成し、内側エアーカーテン１１ａで主にユニット室２内の煙草の煙の拡散を防いで、内側エアーカーテン１１ａの外側に煙草の煙がほとんど漏れず、このため、外側エアーカーテン１１ｂに随伴してユニット室２外に煙草の煙が漏れることがない。
【００２９】
前記空気清浄機６は、少なくともそのエアー吸引口２０が円筒形状をなしている局所排気型である。すなわち、空気清浄機６の清浄機本体２１全体が円筒形状をなし、その中間部にエアー吸引口２０が設けられ、その上部にエアー排気口２２が設けられている。そして、清浄機本体２１内に粗大な灰や埃を除去するプレフィルター２３、煙の粉塵成分やそれに由来する臭いあるいは一部のガスを除去分解する電気集塵機２４及び臭気成分を除去する脱臭フィルター２５が収納されて、更に、これらの下流側に送風機２６がある。したがって、この空気清浄機６によれば、円筒形状をなしているから喫煙者はエアー吸引口２０に近づいて喫煙をするようになり、喫煙者から吐き出された煙草の煙は直ちにエアー吸引口２０から清浄機本体２１内に入り、プレフィルター２３、電気集塵機２４及び脱臭フィルター２５により段階を経て清浄化されて、送風機２６によりエアー排気口２２からユニット室２上部に排出され、更に、排気口５から排出されてユニット室２内が換気されることになる。すなわち、喫煙者から吐き出された煙草の煙のうち、粉塵成分やそれに由来する臭い、あるいは一部のガスは空気清浄機６によりかなり除去する。しかし、一酸化炭素や炭酸ガス等のガス成分は、空気清浄機６により除去すことが出来ず、ユニット室２内に蓄積してしまうから、ユニット室２内の換気により除去することになる。
【００３０】
前記排気口５は、吸気口４に対向するユニット室２の上部に、図１では天井２７に設けられている。この排気口５は、最も簡単な形状は単に開口だけの場合である。この場合は、排気口５が建造物Ａの後述する建造物排気口３４や排気ダクトに直結あるいは隣接して結合出来る場合であり、ファン等が無くても排気できる。通常、建造物Ａの建造物排気口３４や排気ダクトに排気口５を直結あるいは隣接結合することは難しいから、排気口５に排気ファン等を設けて、建造物排気口３４まで送る必要がある。図１に示す排気口５には空気清浄機付換気装置３０が設けられている。すなわち、この空気清浄機付換気装置３０は、その換気装置本体３１内に上述の空気清浄機６と同様にプレフィルター２３ａ、電気集塵機２４ａ及び脱臭フィルター２５ａが収納され、更に、送風機２８がある。したがって、この空気清浄機付換気装置３０は、ユニット室２内の空気清浄機６を通らずショートパスした煙草の煙を、そのままユニット室２外に排出するのではなく、清浄化してユニット室２外に排出し、外部の建造物Ａ内の清浄性を保持するようにしているのである。
【００３１】
なお、この排気口５は、空気清浄機付換気装置３０を設けて、空気清浄機６をショートパスする煙草の煙を無くす代わりに、図４に示すように、空気清浄機６のエアー排気口２２にダクト３１をつなげても良い。このようにすると、排気口５は塞がっているから、排気口５からユニット室２外に排出される排出エアーは、必ず空気清浄機６を通ることになり、清浄化されてしかも空気清浄機６内の送風機２６により、あるいは排気口５に排気ファン３２がある場合は、なお一層スムーズに建造物Ａの建造物排気口３４や排気ダクトに送られる。
【００３２】
ユニット室２の排気口５からの排出エアーは、図５に示すように、ダクト３３により建造物Ａの建造物排気口３４近傍に運ばれ、最終的に建造物排気口３４を経由して建造物Ａ外に排出されて、建造物Ａ内に出来るだけ漏れないようにしている。このダクト３３を設けることが困難である場合は、ユニット室２の上部に設けた排気口５にヒーター３５を設ける。この実施形態では空気清浄機付換気装置３０の送風機２８の下流にヒーター３５を設けて、排気口５からの排出エアーをユニット室２外の気温より高くして、ユニット室２設置の建造物Ａの上部に温排出エアー３６を滞留させ、建造物Ａの上部に設置した建造物排気口３４から外部に温排出エアー３６を排出するようにする。この場合でも、ユニット室２の排気口５からの排出エアーをなるべく建造物Ａ内に漏れないようにしている。
【００３３】
次に、上記構成になる清浄機能付ユニット型喫煙室１の利用方法について詳述する。
まず、建造物Ａの設置場所、建造物排気口３４の位置などの設置条件を確認し、この設置条件に沿う清浄機能付ユニット型喫煙室１を選択して、ユニット室２を組み立てる。次に、ユニット室２の出入口３にエアーカーテン装置１０を取り付け、ユニット室２内に空気清浄機６を必要数、例えば２台設置し、更に、ユニット室２の排気口５に空気清浄機付換気装置３０を取り付ける。そして、ユニット室２の排気口５から建造物Ａの建造物排気口３４が離れていて、ダクト設置スペースがある場合は、排気口５にダクト３３の一端をつなげ、他端を建造物排気口３４につなげる。建造物排気口３４にダクト３３の他端をつなげることが出来ない場合はその近傍に位置させて、建造物Ａの設置場所に清浄機能付ユニット型喫煙室１を設置する作業を終了する。
【００３４】
そして、エアーカーテン装置１０、空気清浄機６及び空気清浄機付換気装置３０に電源を入れて、清浄機能付ユニット型喫煙室１の運転を開始する。空気清浄機付換気装置３０の送風機２８により、排気口５からユニット室２内のエアーを排出すると共に、排気口５の対向位置にある出入口３に形成されている吸気口４から外部のエアーがユニット室２内に入る。空気清浄機６の送風機２６により、ユニット室２内のエアーを空気清浄機６内に入れて、清浄エアーを上方に排出し、上部にある排気口５からユニット室２外に排出する。このため、吸気口４、ユニット室２内、空気清浄機６、排気口５及び空気清浄機付換気装置３、ユニット室２外に至る気流７が安定的に形成される。したがって、空気清浄機６回りで喫煙者が煙草を吸うと、その煙が上記した気流７に乗り、直ちに空気清浄機６内に入り清浄エアーとなって、排気口５及び空気清浄機付換気装置３０を経由してユニット室２外に至る。
【００３５】
すなわち、エアーカーテン装置１０、空気清浄機６及び空気清浄機付換気装置３０に電源を入れると、エアーカーテン装置１０の内側及び外側エアーカーテンファン１７ａ及び１７ｂの作動により、内側空気取入口１６ａ及び外側空気取入口１６ｂから内側半体１３ａ及び外側半体１３ｂ内に、ユニット室２内のエアーを取り入れ、更に、内側吹出口１５及び外側吹出口１８からエアーを吹き出し、内側エアーカーテン１１ａと外側エアーカーテン１１ｂとを形成する。内側エアーカーテン１１ａにより、主にユニット室２内の煙草の煙の拡散を防いで、内側エアーカーテン１１ａの外側に煙草の煙がほとんど漏れなくなる。したがって、外側空気取入口１６ｂから外側半体１３ｂ内にエアーを取り入れて、外側エアーカーテン１１ｂとしても、これに随伴して煙草の煙がユニット室２外に漏れることがない。その一方で、上述のとおり、空気清浄機付換気装置３０の送風機２８の作動により、ユニット室２内のエアーが誘引され、排気口５、空気清浄機付換気装置３０を経てユニット室２外に排出するから、出入口３から外部のエアーが入る。この出入口３は、これら上述のエアーカーテン１１による遮蔽可能部１２ａを除いた遮蔽不能部１２ｂが実質的な吸気口４となって、速い流入風速、例えば、０．２ｍ／ｓｅｃ以上を保持している。したがって、これらのエアーカーテン１１に随伴して煙草の煙がユニット室２外に漏れることも、エアーカーテン１１の遮蔽不能部１２ｂからの煙草の煙の漏れもない。
【００３６】
喫煙者は、空気清浄機６が円筒形状であるから近づいて喫煙することになり、喫煙者から吐き出された煙草の煙は、直ちに上述の気流７に乗り、間近のエアー吸引口２０から空気清浄機６内に入り、プレフィルター２３、電気集塵機２４及び脱臭フィルター２５により段階を経て順次清浄化されて、送風機２６によりエアー排気口２２からユニット室２上部に吐き出される。その一方で、空気清浄機６を通らずショートパスした煙草の煙は、空気清浄機付換気装置３０により同様にして清浄化され、ユニット室２外に排出される。ユニット室２外に排出された排出エアーは、ダクト３３及び建造物排気口３４を経由して建造物Ａ外に排出される。
【００３７】
図８は本発明の他の実施の形態を示す清浄機能付ユニット型喫煙室１ａであり、この清浄機能付ユニット型喫煙室１ａと図１の実施の形態との相違点は、出入口３にエアーカーテン装置１０が無く出入口３がそのまま吸気口４となり、排気口５に気清浄機付換気装置３０の代わりに排気ファン４０を設けた点にある。この清浄機能付ユニット型喫煙室１ａは、構造が最も単純であるが、出入口３がそのまま吸気口４となり開口面積が広くなって、吸気口４における速い流入風速、例えば、０．２ｍ／ｓｅｃ以上を保持しようとすると、ユニット室２内の換気風量が大きくなりすぎるきらいがある。その他の構成、作用は図１の実施の形態と同様なので、図に符号を付してその説明を省略する。
【００３８】
図９、１０は本発明の他の実施の形態を示す清浄機能付ユニット型喫煙室１ｂであり、この清浄機能付ユニット型喫煙室１ｂと図１の実施の形態との相違点は、出入口３にエアーカーテン装置１０の代わりに吸気口４ａ付の扉４１を設け、排気口５に気清浄機付換気装置３０の代わりに排気ファン４０を設けた点にある。この清浄機能付ユニット型喫煙室１ｂは、扉４１に開口面積が出入口３の１／３から１／４程度の吸気口４ａを設け、人が出入りするときだけ、出入口３がそのまま吸気口４となり開口面積が広くなるが、それ以外は開口面積が出入口３の１／３から１／４程度の吸気口４ａとなり、吸気口４ａにおける速い流入風速、例えば、０．２ｍ／ｓｅｃ以上を容易に保持出来るようにしたものである。その他の構成、作用は図１の実施の形態と同様なので、図に符号を付してその説明を省略する。
【００３９】
図１１は本発明の他の実施の形態を示す清浄機能付ユニット型喫煙室１ｃであり、この清浄機能付ユニット型喫煙室１ｃと図１の実施の形態との相違点は、出入口３にエアーカーテン装置１０の代わりに、空気取入口４２をユニット室２外に位置させたエアーカーテン装置１０ａを設け、更に排気口５に気清浄機付換気装置３０の代わりに排気ファン４０を設けた点にある。この清浄機能付ユニット型喫煙室１ｃは、ユニット室２外のエアーを空気取入口４２からエアーカーテン装置１０ａ内に取り入れるから、エアーカーテン４３に随伴してユニット室２内の煙草の煙が漏れることがなく、エアーカーテン装置１０ａの構造が簡単になる。その他の構成、作用は図１の実施の形態と同様なので、図に符号を付してその説明を省略する。
【００４０】
図１２は本発明の他の実施の形態を示す清浄機能付ユニット型喫煙室１ｄであり、この清浄機能付ユニット型喫煙室１ｄは、自在に組立・分解できる無天蓋ユニット室２ａの出入口３に設けた吸気口４と、この吸気口４に対向する無天蓋ユニット室２ａ上部に設けた排気口５と、この排気口５と吸気口４との間に位置して煙草の煙を清浄化して清浄エアーを上部に吐き出してなる空気清浄機６と、無天蓋ユニット室２ａにこれの上部開口５０を囲うために設けた上部エアーカーテン装置５１と、この上部エアーカーテン装置５１の上方に位置して無天蓋ユニット室２ａに設けたエアーカーテン整流板５２とからなり、吸気口４から排気口５を経由して無天蓋ユニット室２ａ外に至る気流７ａ中に喫煙者、空気清浄機６の順となるようにこれらを配設したものである。
【００４１】
無天蓋ユニット室２ａは、側壁５３があるのみで天蓋がないものであり、この無天蓋としたのは、建造物Ａの天井５４に火災探知器５５やスプリンクラー５６が設置されていて、消防上天蓋を設けることが出来ないことの理由による。したがって、この無天蓋ユニット室２ａの排気口５に、上部開口５０を囲う上部エアーカーテン装置５１が設けられている。この上部エアーカーテン装置５１は、上部エアーカーテン５７を形成すること以外に、清浄機能及び換気機能をも保持している。したがって、その装置本体５８に上部エアーカーテン５７を形成するためのエアー吹出口５９及び換気機能を果たすためのエアー排出口６０が設けられ、清浄機能は装置本体５８内に上述と同様にプレフィルター２３ｂ、電気集塵機２４ｂ及び脱臭フィルター２５ｂが収納され、更に、送風機６１がある。
【００４２】
このような上部エアーカーテン装置５１によれば、送風機６１の作動により、無天蓋ユニット室２ａ内のエアーを取り込み清浄化し、その清浄化エアーをエアー吹出口５９から吹き出して上部エアーカーテン５７を形成し上部開口５０を塞ぐが、上部エアーカーテン５７は外乱の影響を受け易く、エアーカーテン整流板５２にてこの外乱を緩和して実質的に有天蓋を実現している。残りの清浄エアーをエアー排出口６０から無天蓋ユニット室２ａ外に排出して換気する。このため、この上部エアーカーテン装置５１でも、無天蓋ユニット室２ａ内の空気清浄機６を通らずショートパスした煙草の煙を清浄化してから、無天蓋ユニット室２ａ外に排出し、外部の建造物Ａ内の清浄性を保持することができるものである。なお、エアーカーテン整流板５２は、上部エアーカーテン５７の流れ方向に、あるいはその直角方向に複数のフラットバーを設置したものでも、フラットバーを格子状に組んだものでも、どれでも良い。複数のフラットバーを設置したものは、フラットバーに平行の外乱に対し弱く、格子状のものはそのような弱さがない。
【００４３】
そして、前記無天蓋ユニット室２ａの出入口３に設けたエアーカーテン装置１０ａは、上部エアーカーテン装置５１からの上部エアーカーテン５７を吸気エアーとして利用するためのエアー吸引口６２を有し、上部エアーカーテン５７をプッシュプルの強力なエアーカーテンにして、無天蓋ユニット室２ａの上部開口５０を強力に塞ぎ実質的に有天蓋としている。その他の構成、作用は図１の実施の形態と同様なので、図に符号を付してその説明を省略する。
【００４４】
以上，本発明の実施の形態を説明したが、具体的な構成はこれに限定されず、本発明の要旨を逸脱しない範囲での変更・追加、各請求項における他の組み合わせにかかるものも、本発明の範囲内である。
【００４５】
【発明の効果】
以上詳述したように、本発明によれば、以下のような効果がある。
請求項１記載の発明は、排気口からユニット室内のエアーを排出すると共に空気清浄機を作動させると、対向位置にある吸気口からユニット室内にエアーが入り、更に、ユニット室内のエアーが空気清浄機内に入って清浄エアーを上方に排出し、上部の排気口を経由してユニット室外に至る気流が出来、空気清浄機回りで喫煙者が煙草を吸うと、その煙が上記した気流に乗り、直ちに空気清浄機に入り清浄エアーとなって、排気口を経由してユニット室外に排出する。したがって、既設の建造物内の吸気口や排気口に左右されずに、建造物内に喫煙室を自在且つ容易に設置出来、しかもこの喫煙室から煙草の煙を漏らさず、少ない換気量であるのに、煙草の煙による弊害を除去して喫煙室を快適な喫煙空間にすることが出来る効果がある。
【００４６】
請求項２記載の発明は、上部エアーカーテン装置を作動させ、無天蓋ユニット室の上部開口を上部エアーカーテンで塞ぎ、エアーカーテン整流板にて外乱を緩和して実質的に有天蓋を実現し、排気口から無天蓋ユニット室内のエアーを排出すると共に空気清浄機を作動させると、対向位置にある吸気口から無天蓋ユニット室内にエアーが入り、更に、無天蓋ユニット室内のエアーが空気清浄機内に入って清浄エアーを上方に排出し、上部の排気口を経由して無天蓋ユニット室外に至る気流が出来、空気清浄機回りで喫煙者が煙草を吸うと、その煙が上記した気流に乗り、直ちに空気清浄機に入り清浄エアーとなって、排気口を経由して無天蓋ユニット室外に排出する。したがって、建造物内の消防施設に影響を受けることなく、上記と同様の効果を得ることが出来る。
【００４７】
請求項３記載の発明は、喫煙者がユニット室内に入るとき以外は扉は閉じられて、扉に設けた吸気口は出入口より開口面積が小さく、この吸気口における流入風速を高く保持して、ユニット室内から煙草の煙が漏れないようにする。したがって、上記効果に加えて、喫煙者が扉を開けてユニット室内に入るとき以外、煙草の煙が漏れることはない。
【００４８】
請求項４記載の発明は、エアーカーテンによる出入口の遮蔽不能部が吸気口であり、この吸気口は出入口全体より開口面積が小さく、この吸気口における流入風速を高く保持して、ユニット室内から煙草の煙が漏れないようにする。したがって、上記効果に加えて、出入口が開いていても、エアーカーテンによりユニット室内から煙草の煙が漏れることはない。
【００４９】
請求項５記載の発明は、ユニット室外のエアーを空気取入口からエアーカーテン装置内に取り入れ、エアーカーテンを形成して出入口の一部を遮蔽する。したがって、上記効果に加えて、煙草の煙がエアーカーテンに随伴してユニット室内から漏れることはない。
【００５０】
請求項６記載の発明は、内側吹出口と外側吹出口との間の空気取入口からエアーカーテン装置内にエアーを取り入れ、内側エアーカーテンと外側エアーカーテンとを構成し、主に内側エアーカーテンでユニット室内の煙草の煙の拡散を防いで、内側エアーカーテンの外側に煙草の煙がほとんど漏れず、外側エアーカーテンに随伴してユニット室外に煙草の煙が漏れない。したがって、上記効果に加えて、煙草の煙が内側エアーカーテンに随伴して仮に漏れても、外側エアーカーテンによりその漏れを防ぐから、ユニット室内から煙草の煙が漏れることはない。
【００５１】
請求項７記載の発明は、ユニット室の空気清浄機を通らずショートパスした煙草の煙を、空気清浄機付換気装置により清浄化してユニット室外に排出する。したがって、上記効果に加えて、空気清浄機をショートパスした煙草の煙もそのままユニット室外に排出することがなく、ユニット室外の建造物内を煙草の煙により汚染することがない。
【００５２】
請求項８記載の発明は、ユニット室の上部の排気口からの排気エアーは直接建造物排気口から外部に排出される。したがって、上記効果に加えて、ユニット室内からの排出エアーにより、ユニット室外の建造物を汚染することがない。
【００５３】
請求項９記載の発明は、ユニット室の上部の排気口に設けたヒーターにより、排出エアーをユニット室外の気温より高くして、この温排出エアーを建造物の上部に滞留させ、建造物上部にある建造物排気口から外部に排出する。したがって、上記効果に加えて、ユニット室の排気口と建造物排気口とをダクトなどによりつなげなくても、ユニット室内からの排出エアーがユニット室外の建造物内のエアー中に拡散しないで、外部に排出することが出来る。
【００５４】
請求項１０記載の発明は、喫煙者は円筒形状をなしたエアー吸引口に近づいて喫煙することになり、煙は直ちにエアー吸引口から空気清浄機内に入り、清浄化されてユニット室上部に排出される。したがって、上記効果に加えて、円筒形状であるから設置面積を狭くでき、喫煙に伴う煙は拡散する間もなく直ちに清浄化するから、ユニット室内の煙の粉塵濃度を低く保持できる。
【００５５】
請求項１１記載の発明は、空気清浄機のエアー排気口から排出した清浄エアーは、直接ユニット室の上部の排気口からユニット室外に排出され、ユニット室内が換気される。したがって、上記効果に加えて、空気清浄機をショートパスする煙草の煙はなく、排気口の送風機も必要なくなる。
【００５６】
請求項１２記載の発明は、上部エアーカーテン装置からの上部エアーカーテンにより、無天蓋ユニット室の上部開口を塞ぎ実質的に有天蓋とし、その一部を無天蓋ユニット室外に排出し、無天蓋ユニット室内を換気する。したがって、上記効果に加えて、上部エアーカーテンの形成と、無天蓋ユニット室内の換気とを一の上部エアーカーテン装置にて出来きる。
【００５７】
請求項１３記載の発明は、上部エアーカーテン装置からの上部エアーカーテンを、出入口用のエアーカーテン装置の吸気エアーとして利用し、プッシュプルの強力な上部エアーカーテンにして、無天蓋ユニット室の上部開口を強力に塞ぐ。したがって、上記効果に加えて、無天蓋ユニット室の上部開口を安定的且つ強力に塞ぎ、実質的に有天蓋とすることができる。
【図面の簡単な説明】
【図１】本発明の実施の形態を示す清浄機能付ユニット型喫煙室の断面図。
【図２】本発明の実施の形態を示す清浄機能付ユニット型喫煙室の空気清浄機の斜視図。
【図３】本発明の実施の形態を示す清浄機能付ユニット型喫煙室の空気清浄機の断面図。
【図４】本発明の実施の形態を示す清浄機能付ユニット型喫煙室の一部を破断した断面図。
【図５】本発明の実施の形態を示す清浄機能付ユニット型喫煙室を建造物内に適用した側面図。
【図６】本発明の実施の形態を示す清浄機能付ユニット型喫煙室を建造物内に適用した側面図。
【図７】本発明の実施の形態を示す清浄機能付ユニット型喫煙室の空気清浄機付換気装置の断面図。
【図８】本発明の他の実施の形態を示す清浄機能付ユニット型喫煙室の断面図。
【図９】本発明の他の実施の形態を示す清浄機能付ユニット型喫煙室の断面図。
【図１０】本発明の他の実施の形態を示す清浄機能付ユニット型喫煙室の正面図。
【図１１】本発明の他の実施の形態を示す清浄機能付ユニット型喫煙室の断面図。
【図１２】本発明の他の実施の形態を示す清浄機能付ユニット型喫煙室の断面図。
【図１３】従来例の断面図。
【図１４】従来例の断面図。
【図１５】従来例の断面図。
【符号の説明】
１、１ａ、１ｂ、１ｃ、１ｄ    清浄機能付ユニット型喫煙室
２                      ユニット室
２ａ                    無天蓋ユニット室
３                      出入口
４、４ａ                吸気口
５                      排気口
６                      空気清浄機
７                      気流
１０、１０ａ            エアーカーテン装置
１１、４３、ｉ          エアーカーテン
１１ａ                  内側エアーカーテン
１１ｂ                  外側エアーカーテン
１２ａ                  遮蔽可能部
１２ｂ                  遮蔽不能部
１３                    装置本体
１４                    仕切板
１５                    内側吹出口
１６ａ                  内側空気取入口
１６ｂ                  外側空気取入口
１７ａ                  内側エアーカーテンファン
１７ｂ                  外側エアーカーテンファン
１８                    内側吹出口
２０、６１              エアー吸引口
２１                    清浄機本体
２２、６０              エアー排気口
２３、２３ａ、２３ｂ    プレフィルター
２４、２４ａ、２４ｂ    電気集塵機
２５、２５ａ、２５ｂ    脱臭フィルター
２６、２８、ｇ          送風機
２７、５４              天井
３０                    空気清浄機付換気装置
３１、３３              ダクト
３２、４０、ｏ          排気ファン
３４                    建造物排気口
３５                    ヒーター
３６                    温排出エアー
４１                    扉
４２、ｂ                空気取入口
５０                    上部開口
５１                    上部エアーカーテン装置
５２                    エアーカーテン整流板
５３                    側壁
５５                    火災探知機
５６                    スプリンクラー
５７                    上部エアーカーテン
５８                    装置本体
５９                    エアー吹出口
ａ                      筐体
ｃ                      空気吹出口
ｄ                      集塵器
ｅ                      第１空気通路
ｆ                      第２空気通路
ｈ                      室内空間
ｊ                      喫煙室
ｋ                      非喫煙室
ｍ                      天井面
ｎ                      ラインフローファン
ｐ                      等圧チャンバー
ｑ                      つい立て本体
Ｒ                      スペース
ｒ                      エアー循環吸込口
ｓ                      エアー吸込口
【図１】
2004347309.tif 000003
【図２】
2004347309.tif 000004
【図３】
2004347309.tif 000005
【図４】
2004347309.tif 000006
【図５】
2004347309.tif 000007
【図６】
2004347309.tif 000008
【図７】
2004347309.tif 000009
【図８】
2004347309.tif 000010
【図９】
2004347309.tif 000011
【図１０】
2004347309.tif 000012
【図１１】
2004347309.tif 000013
【図１２】
2004347309.tif 000014
【図１３】
2004347309.tif 000015
【図１４】
2004347309.tif 000016
【図１５】
2004347309.tif 000017